(57)【要約】【課題】  生徒、保護者、教育機関との間で生徒関連情報を授受する際の効率化を図ること。【解決手段】  インターネット３を介して生徒関連情報の授受を行う方法において、保護者Ａが端末１から、生徒Ａ、Ｂをサーバ４に提供して会員情報記憶手段に記憶するステップと、生徒Ａが端末１から、在籍している教育機関Ａ、Ｂをサーバ４に提供して在籍関係記憶手段に記憶するステップと、教育機関Ａが端末５からサーバ４へ、生徒Ａの家族共通情報の閲覧を要求した場合にサーバ４は予め記憶された家族共通情報記憶手段から抽出して端末５へ出力するステップとを有する。【選択図】  図１
2006048622.tif 000002
【特許請求の範囲】
【請求項１】
会員認証処理にて認証された会員に対して、インターネットを介して生徒に関連する情報の授受を行う生徒関連情報授受方法において、生徒会員が端末から、前記生徒会員の家族会員をサーバに提供して会員情報記憶手段に記憶するステップと、前記生徒会員又は前記家族会員が端末から、在籍している教育機関会員をサーバに提供して在籍関係記憶手段に記憶するステップと、上記で在籍している教育機関会員として記憶された教育機関会員が端末からサーバへ、前記生徒会員と前記家族会員の家族共通情報の閲覧を要求した場合にサーバは予め記憶された家族共通情報記憶手段から抽出して端末へ出力するステップとを有することを特徴とする生徒関連情報授受方法。
【請求項２】
会員認証処理にて認証された会員に対して、インターネットを介して生徒に関連する情報の授受を行う生徒関連情報授受方法において、生徒会員が端末から、前記生徒会員の家族会員をサーバに提供して会員情報記憶手段に記憶するステップと、前記生徒会員又は前記家族会員が端末から、在籍している教育機関会員をサーバに提供して在籍関係記憶手段に記憶するステップと、前記生徒会員又は前記家族会員が端末から、前記生徒会員と前記家族会員が保護者かどうかを判断する情報を会員情報記憶手段に記憶するステップと、上記で在籍している教育機関会員として記憶された教育機関会員が端末から、送信内容と、送信先として指定した生徒又は保護者の情報をサーバに提供し、サーバは送信先として指定した生徒又は保護者の情報から生徒会員又は家族会員を抽出して、送信内容と共に生徒受信記憶手段に記憶するステップと、上記で送信先に指定された生徒会員又は家族会員が端末からサーバへ、前記送信内容の閲覧を要求した場合にサーバは前記生徒受信記憶手段から抽出して端末へ出力するステップとを有することを特徴とする生徒関連情報授受方法。
【請求項３】
会員認証処理にて認証された会員に対して、インターネットを介して生徒に関連する情報の授受を行う生徒関連情報授受方法において、生徒会員が端末から、在籍している教育機関会員をサーバに提供して在籍関係記憶手段に記憶するステップと、前記生徒会員が端末からサーバへ、事件情報の閲覧を要求した場合にサーバは前記生徒会員の住んでいる地域、又は、前記生徒会員の在籍している教育機関会員の所在地域で発生した事件を予め記憶された事件情報記憶手段から抽出して端末へ出力するステップとを有することを特徴とする生徒関連情報授受方法。
【請求項４】
会員認証処理にて認証された会員に対して、インターネットを介して生徒に関連する情報の授受を行う生徒関連情報授受システムにおいて、サーバは、生徒会員から提供された前記生徒会員の家族会員を記憶する会員情報記憶手段と、前記生徒会員又は前記家族会員から提供された在籍している教育機関会員を記憶する在籍関係記憶手段と、上記で在籍している教育機関会員として記憶された教育機関会員から前記生徒会員と前記家族会員の家族共通情報の閲覧を要求された場合に予め記憶された家族共通情報記憶手段から抽出して端末へ出力する出力手段とを有することを特徴とする生徒関連情報授受システム。
【請求項５】
会員認証処理にて認証された会員に対して、インターネットを介して生徒に関連する情報の授受を行う生徒関連情報授受システムにおいて、サーバは、生徒会員から提供された前記生徒会員の家族会員を記憶する会員情報記憶手段と、前記生徒会員又は前記家族会員から提供された在籍している教育機関会員を記憶する在籍関係記憶手段と、前記生徒会員又は前記家族会員から提供された前記生徒会員と前記家族会員が保護者かどうかを判断する情報を記憶する会員情報記憶手段と、上記で在籍している教育機関会員として記憶された教育機関会員から送信内容と、送信先として指定した生徒又は保護者の情報を取得し、送信先として指定した生徒又は保護者の情報から生徒会員又は家族会員を抽出して、送信内容と共に記憶する生徒受信記憶手段と、上記で送信先に指定された生徒会員又は家族会員から前記送信内容の閲覧を要求された場合に前記生徒受信記憶手段から抽出して端末へ出力する出力手段とを有することを特徴とする生徒関連情報授受システム。
【請求項６】
会員認証処理にて認証された会員に対して、インターネットを介して生徒に関連する情報の授受を行う生徒関連情報授受システムにおいて、サーバは、生徒会員から提供された在籍している教育機関会員を記憶する在籍関係記憶手段と、前記生徒会員から事件情報の閲覧を要求された場合に前記生徒会員の住んでいる地域、又は、前記生徒会員の在籍している教育機関会員の所在地域で発生した事件を予め記憶された事件情報記憶手段から抽出して端末へ出力する出力手段とを有することを特徴とする生徒関連情報授受システム。
【発明の詳細な説明】
【発明の詳細な説明】
【技術分野】
【０００１】  本発明は、生徒と前記生徒の保護者と前記生徒が在籍している教育機関（保育園、幼稚園、小中学校、学習塾、珠算学校等の知識や技能などを教える機関。）との間で生徒関連情報（住所、電話番号、家族構成、教育機関での様子、注意点、不審者対策情報、不審者情報等の生徒に関連する情報）を授受するための方法及びシステムに関する。
【背景技術】
【０００２】  現状において、教育機関、生徒、保護者間の生徒関連情報の授受手段は紙、電話、電子メールがある。
【発明が解決しようとする課題】
【０００３】  上記で示した従来の生徒関連情報授受手段の紙、電話、電子メールでは様々な問題がある。
【０００４】  まず、最初に住所、電話番号、家族構成などの家族共通情報を紙、電話、電子メールで教育機関に提供する場合に発生する問題を説明する。現在の家族でも、複数の子供がいることは珍しいことではない。その各々が教育機関に在籍している場合、保護者又は生徒は教育機関毎に住所、電話番号、家族構成などを紙に記入、又は、電話連絡、又は、電子メールに入力しなければならないなど手間がかかるという問題がある。教育機関でも提供された情報を電子化する場合に入力作業に手間がかかるという問題がある。
【０００５】  次に、教育機関が、生徒の教育機関での様子、注意点、不審者対策情報などを生徒又は保護者に連絡する場合に発生する問題を説明する。生徒の教育機関での様子や注意点などを生徒又は保護者に連絡する場合、生徒のみ、保護者のみに連絡したい場合がある。紙や電話では保護者のみに連絡したい場合でも生徒に知られる可能性がある。電子メールでは上記の連絡は可能であるが、メールアドレスの管理作業が大変である。
【０００６】  さらに、生徒、保護者は地域で発生した事件（不審者に声をかけられた、あとをつけられた、痴漢にあった等）を知りえる手段が存在しないため、予防措置を講じることができないという問題がある。
【０００７】  本発明は、上述した問題に鑑みてなされたもので、その目的は、生徒、保護者、教育機関での入力作業、管理作業が軽減され、また、予防措置を講じることができるように地域で発生した事件を知ることができる生徒関連情報授受方法及びそのシステムを提供することにある。
【課題を解決するための手段】
【０００８】  上述した問題を解決するために、請求項１に記載の発明にあっては、会員認証処理にて認証された会員に対して、インターネットを介して生徒に関連する情報の授受を行う生徒関連情報授受方法において、生徒会員が端末から、前記生徒会員の家族会員をサーバに提供して会員情報記憶手段に記憶するステップと、前記生徒会員又は前記家族会員が端末から、在籍している教育機関会員をサーバに提供して在籍関係記憶手段に記憶するステップと、上記で在籍している教育機関会員として記憶された教育機関会員が端末からサーバへ、前記生徒会員と前記家族会員の家族共通情報の閲覧を要求した場合にサーバは予め記憶された家族共通情報記憶手段から抽出して端末へ出力するステップとを有することを特徴としている。請求項２に記載の発明にあっては、会員認証処理にて認証された会員に対して、インターネットを介して生徒に関連する情報の授受を行う生徒関連情報授受方法において、生徒会員が端末から、前記生徒会員の家族会員をサーバに提供して会員情報記憶手段に記憶するステップと、前記生徒会員又は前記家族会員が端末から、在籍している教育機関会員をサーバに提供して在籍関係記憶手段に記憶するステップと、前記生徒会員又は前記家族会員が端末から、前記生徒会員と前記家族会員が保護者かどうかを判断する情報を会員情報記憶手段に記憶するステップと、上記で在籍している教育機関会員として記憶された教育機関会員が端末から、送信内容と、送信先として指定した生徒又は保護者の情報をサーバに提供し、サーバは送信先として指定した生徒又は保護者の情報から生徒会員又は家族会員を抽出して、送信内容と共に生徒受信記憶手段に記憶するステップと、上記で送信先に指定された生徒会員又は家族会員が端末からサーバへ、前記送信内容の閲覧を要求した場合にサーバは前記生徒受信記憶手段から抽出して端末へ出力するステップとを有することを特徴としている。請求項３に記載の発明にあっては、会員認証処理にて認証された会員に対して、インターネットを介して生徒に関連する情報の授受を行う生徒関連情報授受方法において、生徒会員が端末から、在籍している教育機関会員をサーバに提供して在籍関係記憶手段に記憶するステップと、前記生徒会員が端末からサーバへ、事件情報の閲覧を要求した場合にサーバは前記生徒会員の住んでいる地域、又は、前記生徒会員の在籍している教育機関会員の所在地域で発生した事件を予め記憶された事件情報記憶手段から抽出して端末へ出力するステップとを有することを特徴としている。
【０００９】  請求項４に記載の発明にあっては、会員認証処理にて認証された会員に対して、インターネットを介して生徒に関連する情報の授受を行う生徒関連情報授受システムにおいて、サーバは、生徒会員から提供された前記生徒会員の家族会員を記憶する会員情報記憶手段と、前記生徒会員又は前記家族会員から提供された在籍している教育機関会員を記憶する在籍関係記憶手段と、上記で在籍している教育機関会員として記憶された教育機関会員から前記生徒会員と前記家族会員の家族共通情報の閲覧を要求された場合に予め記憶された家族共通情報記憶手段から抽出して端末へ出力する出力手段とを有することを特徴としている。請求項５に記載の発明にあっては、会員認証処理にて認証された会員に対して、インターネットを介して生徒に関連する情報の授受を行う生徒関連情報授受システムにおいて、サーバは、生徒会員から提供された前記生徒会員の家族会員を記憶する会員情報記憶手段と、前記生徒会員又は前記家族会員から提供された在籍している教育機関会員を記憶する在籍関係記憶手段と、前記生徒会員又は前記家族会員から提供された前記生徒会員と前記家族会員が保護者かどうかを判断する情報を記憶する会員情報記憶手段と、上記で在籍している教育機関会員として記憶された教育機関会員から送信内容と、送信先として指定した生徒又は保護者の情報を取得し、送信先として指定した生徒又は保護者の情報から生徒会員又は家族会員を抽出して、送信内容と共に記憶する生徒受信記憶手段と、上記で送信先に指定された生徒会員又は家族会員から前記送信内容の閲覧を要求された場合に前記生徒受信記憶手段から抽出して端末へ出力する出力手段とを有することを特徴としている。請求項６に記載の発明にあっては、会員認証処理にて認証された会員に対して、インターネットを介して生徒に関連する情報の授受を行う生徒関連情報授受システムにおいて、サーバは、生徒会員から提供された在籍している教育機関会員を記憶する在籍関係記憶手段と、前記生徒会員から事件情報の閲覧を要求された場合に前記生徒会員の住んでいる地域、又は、前記生徒会員の在籍している教育機関会員の所在地域で発生した事件を予め記憶された事件情報記憶手段から抽出して端末へ出力する出力手段とを有することを特徴としている。
【００１０】  請求項１、４に記載の発明によれば、生徒又は保護者は住所、電話番号、家族構成などの家族共通情報を教育機関毎に紙に記入、又は、電話連絡、又は、電子メールに入力しなくてよくなり、教育機関でも電子化するための入力作業がなくなる。また、家族共通情報に変更がある場合、生徒又は保護者が家族共通情報記憶手段を変更するだけで、教育機関は変更した情報を閲覧可能である。
【００１１】  請求項２、５に記載の発明によれば、教育機関は連絡する相手を生徒のみ、保護者のみというような連絡が可能となり、より密接な連絡が可能となる。また、保護者かどうかの情報は生徒又は保護者側にて管理するため、教育機関側での管理作業は発生しない。
【００１２】  請求項３、６に記載の発明によれば、生徒、保護者は、地域で発生した事件を知ることが可能となり、予防措置を講じることにより、未然に防ぐことが可能となる。
【００１３】  尚、在籍関係記憶手段は、生徒側からみた場合は在籍している教育機関を登録しており、教育機関側からみた場合は在籍している生徒が登録されている。また、会員情報記憶手段に登録されている会員は本システムにアクセス可能な生徒又は保護者又は教育機関であれば自由に登録可能であり、生徒会員の登録は生徒又は保護者自らが登録を行っている。また、事件情報記憶手段への登録は会員であれば登録可能である。尚、警察や消防署などを教育機関会員と位置づけて会員登録し、事件情報を登録させてもよい。
【発明を実施するための最良の形態】
【００１４】  本発明の実施の形態を説明する前に、用語について説明する。生徒会員とは生徒又は前記生徒の保護者会員のことであり、家族会員とは前記生徒会員の家族（親、兄弟など一緒に住んでいる人）を前記生徒会員にて追加した会員のことである。教育機関会員とは保育園、幼稚園、小中学校、学習塾、珠算学校等の知識や技能などを教える機関の会員である。また、生徒関連情報とは生徒の住所、電話番号、教育機関での様子、注意点、不審者対策情報、不審者情報等の生徒に関連する情報である。家族共通情報とは住所、電話番号、家族構成、保護者名、緊急連絡先など家族で共通する情報である。【００１５】  本発明の一実施の形態について図１を用いて説明する。図１は、本発明の一実施の形態を示すブロック図である。図示するように、生徒関連情報授受システムを有するサーバ４と端末１、端末２、端末５、端末６はインターネット３に接続されている。【００１６】  サーバはアプリケーションを提供する機能、電子メールの送受信の機能、インターネット等に接続する機能等の機能を有している。また、各種データを保存するデータベースも有している。【００１７】  端末１、端末２、端末５、端末６は、それぞれＣＲＴ等の表示部とキーボード、マウス等の入力部を有する。【００１８】  サーバ内にあるデータベースの各種テーブルについて説明する。【００１９】  住所テーブルについて説明する。住所テーブルは全国の都道府県、市区町村、町域が格納されている。また、階層構造は３層になっており、上層は都道府県（階層番号が“１”）を示し、中層は市区町村（階層番号が“２”）を示し、下層は町域（階層番号が“３”）を示している。表１に登録例を示す。【００２０】
【表１】
2006048622.tif 000003
【００２１】  会員情報テーブルについて説明する。会員情報テーブルは特許請求の範囲で示した会員情報記憶手段にあたり、会員毎に作成され、会員に関する情報を格納している。次に、主な項目について説明する。会員ＩＤは生徒関連情報授受システムが会員を認証する際に使用し、会員情報テーブル内でユニークな値が設定されている。公開会員ＩＤは会員名が重複する場合があるので、会員を見分けるためにあり、会員情報テーブル内でユニークな値が設定されている。また、会員種別が１（生徒）の場合、上２桁は家族共通コードとなり、下２桁は家族内の個人を特定するコードとなる。住所コードは住所テーブルの都道府県コードと市区町村コードと町域コードを連結した値となっており、会員が住んでいる地域、又は、所在地域を表している。会員種別は生徒又は教育機関かを見分けるために使用し、１が生徒を表し、２が教育機関を表している。保護者情報は保護者かどうかを見分けるために使用し、１が保護者、２が保護者以外を表している。尚、保護者かどうかを見分ける情報として続柄も利用してもよい。表２に登録例を示す。【００２２】
【表２】
2006048622.tif 000004
【００２３】  家族共通情報テーブルについて説明する。家族共通情報テーブルは特許請求の範囲で示した家族共通情報記憶手段にあたり、住所、電話番号、家族構成、保護者名、緊急連絡先など家族で共通する情報を格納している。本テーブルには説明を平易にするため、住所、電話番号のみを格納している。次に、主な項目について説明する。公開会員ＩＤは会員情報テーブルの公開会員ＩＤの上２桁にあたり、会員情報テーブルと結合するためのキーである。表３に登録例を示す。尚、下記に示した例では公開会員ＩＤ“０１”の情報は会員情報テーブルの公開会員ＩＤ“０１０１”、“０１０２”、“０１０３”の家族共通情報となる。【００２４】
【表３】
2006048622.tif 000005
【００２５】  在籍関係テーブルについて説明する。在籍関係テーブルは特許請求の範囲で示した在籍関係記憶手段にあたり、生徒会員や家族会員が新たに在籍する教育機関を追加した時に作成する。生徒側からみた場合は在籍している教育機関を登録しており、教育機関側からみた場合は在籍している生徒が登録されている。表４に登録例を示す。尚、下記に示した例では生徒Ａは教育機関Ａ、Ｂに在籍しており、教育機関Ａには生徒Ａ、Ｂが在籍している。【００２６】
【表４】
2006048622.tif 000006
【００２７】  生徒受信テーブルについて説明する。生徒受信テーブルは特許請求の範囲で示した生徒受信記憶手段にあたり、教育機関から生徒又は保護者に情報を送信する時に作成する。よって、送信元には教育機関、送信先には生徒又は保護者の情報が設定される。表５に登録例を示す。【００２８】
【表５】
2006048622.tif 000007
【００２９】  事件情報テーブルについて説明する。事件情報テーブルは特許請求の範囲で示した事件情報記憶手段にあたり、地域の事件情報が格納されている。次に項目の発生地域コードについて説明する。発生地域コードは住所テーブルの都道府県コードと市区町村コードと町域コードを連結した値である。表６に登録例を示す。【００３０】
【表６】
2006048622.tif 000008
【００３１】  本実施形態の動作について説明する。【００３２】  第１の実施形態として生徒の家族共通情報を生徒会員又は家族会員が在籍している教育機関にて閲覧できるまでを説明する。説明は（１）生徒関連情報授受システムの会員であるか否かを問う会員認証処理、（２）生徒会員にて行い、家族会員を登録する家族会員登録処理、（３）生徒会員又は家族会員にて行い、生徒会員、家族会員の在籍している教育機関会員を登録する在籍教育機関登録処理、（４）上記で在籍している教育機関会員として登録された教育機関会員にて行い、生徒会員、家族会員の家族共通情報を閲覧する生徒情報閲覧処理の順で説明を行う。尚、会員情報テーブルには生徒会員及び教育機関会員の情報が、家族共通情報テーブルにも前記生徒会員の家族共通情報が既に登録されているものとする。【００３３】  始めに、生徒関連情報授受システムの会員であるか否かを問う会員認証処理の手順を示す。【００３４】  会員は端末からサーバ４にアクセスし、サーバ４は会員の端末に図２に示した会員認証画面を表示する。会員は会員ＩＤ入力欄２１、パスワード入力欄２２にそれぞれ会員ＩＤ、パスワードを入力し、送信ボタン２３を押下する。サーバ４は入力された会員ＩＤ、パスワードを受け取り、会員情報テーブルの会員ＩＤ、パスワードと入力された会員ＩＤ、パスワードがそれぞれ一致するレコードを抽出する。抽出できた場合に会員であると認証され、会員の端末にメニュー画面が表示される。しかし、抽出されなかった場合は、再度、会員ＩＤ、パスワードの入力を求める。また、抽出したレコードの会員ＩＤ、公開会員ＩＤ、会員名、住所コードは以降の処理で必要なため、サーバ４内で保持される。【００３５】  次に、生徒会員にて行う家族会員登録処理について説明する。【００３６】  生徒会員は会員認証処理実施後、以降に説明する各処理を選択するためのメニュー画面が表示されているため、ここでは家族会員登録処理を選択する。サーバ４は家族会員登録処理が選択されたことを受け取り、図３に示した家族会員登録画面を端末へ表示する。【００３７】  生徒会員は会員ＩＤ入力欄３１、パスワード入力欄３２、会員名入力欄３３にそれぞれ会員ＩＤ、パスワード、会員名を入力し、登録する会員が保護者の場合、保護者情報チェック欄３５にチェックを行い、登録ボタン３６を押下する。尚、公開会員ＩＤ表示欄３４には会員認証処理で保持した公開会員ＩＤの上２桁と下２桁には家族内でユニークな値が設定される。【００３８】  サーバ４は端末から会員ＩＤ、パスワード、会員名、公開会員ＩＤ、保護者情報を受け取り、会員情報テーブルに同一の会員ＩＤが存在しないかのチェックを行う。入力された会員ＩＤが既に会員情報テーブル内に存在した場合は、再度、会員ＩＤの入力を求める。【００３９】  ユニークな会員ＩＤと判断された場合、サーバ４は受け取った会員ＩＤ、パスワード、会員名、公開会員ＩＤ、保護者情報、会員認証処理で保持した住所コードを元に会員情報テーブルへ追加する。【００４０】  尚、上記家族会員登録処理を複数回実行することにより、家族会員を複数登録できる。【００４１】  次に、生徒会員にて行い、在籍している教育機関会員の登録を行う在籍教育機��登録処理について説明する。【００４２】  メニュー画面から在籍教育機関登録処理を選択する。サーバ４は在籍教育機関登録処理が選択されたことを受け取り、図４に示した在籍教育機関登録画面を端末へ表示する。尚、教育機関選択欄４１には会員情報テーブルから会員種別が”２”（教育機関）のレコードを抽出して、抽出したレコードの公開会員ＩＤ、会員名を教育機関選択欄４１に設定している。【００４３】  生徒会員は教育機関選択欄４１から追加する教育機関会員を選択し、追加ボタン４２を押下する。サーバ４は教育機関選択欄４１で選択した教育機関会員の公開会員ＩＤ、会員名の情報を受け取り、受け取った情報と会員認証処理で保持した公開会員ＩＤ、会員名を元にして在籍関係テーブルへレコードを追加する。【００４４】  尚、家族会員が会員認証処理を経て、上記在籍教育機関登録処理を行うことにより、家族会員の在籍している教育機関会員が登録できる。【００４５】  次に、上記で在籍している教育機関会員として登録された教育機関会員にて行い、生徒会員、家族会員の家族共通情報を閲覧する生徒情報閲覧処理について説明する。尚、上記で示した会員認証処理を既に実施しているものとする。【００４６】  メニュー画面から生徒情報閲覧処理を選択する。サーバ４は生徒情報閲覧処理が選択されたことを受け取り、図５に示した生徒情報閲覧画面１を端末へ表示する。【００４７】  生徒選択欄５１には在籍している生徒を表示している。そのため、在籍関係テーブルから会員認証処理で保持した公開会員ＩＤと在籍関係テーブルの公開会員ＩＤ（教育機関）が一致するレコードを抽出して、抽出したレコードの公開会員ＩＤ（生徒）、会員名（生徒）を生徒選択欄５１へ設定している。【００４８】  生徒情報閲覧画面１の生徒選択欄５１から閲覧したい生徒を選択し、選択ボタン５２を押下する。サーバ４は生徒選択欄５１で選択した生徒の公開会員ＩＤ、会員名の情報を受け取り、図６に示した生徒情報閲覧画面２を端末へ表示する。尚、住所表示欄６３、電話番号表示欄６４には、家族共通情報テーブルから生徒選択欄５１で選択した生徒の公開会員ＩＤの上２桁と家族共通情報テーブルの公開会員ＩＤが一致するレコードを抽出して、抽出したレコードの住所、電話番号を設定する。【００４９】  第２の実施形態として教育機関会員が生徒又は保護者に教育機関での様子や注意点や不審者対策情報などの情報を送信し、その送信された情報を送信先に指定された生徒又は保護者が閲覧するまでを説明する。以下の説明は第１の実施形態で示した会員認証処理、家族会員登録処理、在籍教育機関登録処理を既に実施しているものとして説明を行い、（１）生徒会員又は家族会員にて行い、生徒会員又は家族会員が保護者かどうかの情報を登録する保護者情報登録処理（２）在籍教育機関登録処理で在籍している教育機関会員として登録された教育機関会員にて行い、生徒又は保護者に教育機関での様子や注意点や不審者対策情報などの情報を送信する送信処理、（３）上記で送信先に指定された生徒会員又は家族会員にて行い、教育機関会員から送信された情報を閲覧する受信処理の順で説明を行う。【００５０】  まず、始めに生徒会員又は家族会員にて行い、生徒会員又は家��会員が保護者かどうかの情報を登録する保護者情報登録処理について説明する。【００５１】  生徒会員又は家族会員は会員認証処理実施後、メニュー画面から保護者情報登録処理を選択する。サーバ４は保護者情報登録処理が選択されたことを受け取り、図７に示した保護者情報登録画面を端末へ表示する。尚、公開会員ＩＤ表示欄７１、会員名表示欄７２には会員情報テーブルから会員認証を行った会員の公開会員ＩＤの上２桁と会員情報テーブルの公開会員ＩＤの上２桁が一致するレコードを抽出して、抽出したレコードの公開会員ＩＤ、会員名を設定している。【００５２】  生徒会員又は家族会員は保護者である会員の保護者情報チェック欄７３にチェックを行い、登録ボタン７４を押下する。サーバ４は保護者情報チェック欄７３の情報を元にして会員情報テーブルの保護者情報を更新する。【００５３】  次に、在籍教育機関登録処理で在籍している教育機関会員として登録された教育機関会員にて行い、生徒又は保護者に教育機関での様子や注意点や不審者対策情報などの情報を送信する送信処理について説明する。尚、会員認証処理を既に実施しているものとする。【００５４】  メニュー画面から送信処理を選択する。サーバ４は送信処理が選択されたことを受け取り、図８に示した送信画面を端末へ表示する。尚、送信先生徒選択欄８２には在籍している生徒を表示している。そのため、在籍関係テーブルから会員認証処理で保持した公開会員ＩＤと在籍関係テーブルの公開会員ＩＤ（教育機関）が一致するレコードを抽出して、抽出したレコードの公開会員ＩＤ（生徒）、会員名（生徒）を送信先生徒選択欄８２に設定している。【００５５】  送信画面の送信内容入力欄８１に教育機関での様子や注意点などの情報を入力する。次に、送信先生徒選択欄８２から送信したい生徒を選択、送信先相手選択欄８３から生徒又は保護者又は両方を選択し、送信ボタン８４を押下する。サーバ４は送信内容入力欄８１で入力した送信内容と送信先生徒選択欄８２で選択した生徒の公開会員ＩＤ、会員名と送信先相手選択欄８３で選択した情報を受け取り、受け取った情報と会員認証処理で保持した公開会員ＩＤ、会員名を元にして生徒受信テーブルへレコードを追加する。【００５６】  生徒受信テーブルへ追加するレコードについて説明を行う。【００５７】  送信先相手選択欄８３で生徒と選択された場合、送信先生徒選択欄８２で選択した生徒の公開会員ＩＤ、会員名と送信内容入力欄８１で入力した送信内容と会員認証処理で保持した公開会員ＩＤ、会員名を元にして生徒受信テーブルへ追加する。【００５８】  送信先相手選択欄８３で保護者と選択された場合、会員情報テーブルから送信先生徒選択欄８２で選択した生徒の公開会員ＩＤの上２桁と会員情報テーブルの公開会員ＩＤの上２桁が一致し、かつ、保護者情報が１（保護者）のレコードを抽出する。抽出したレコードの公開会員ＩＤと会員名と送信内容入力欄８１で入力した送信内容と会員認証処理で保持した公開会員ＩＤ、会員名を元にして生徒受信テーブルへ追加する。【００５９】  送信先相手選択欄８３で両方選択された場合は、上記で示した生徒と保護者の両方を生徒受信テーブルへ追加する。【００６０】  次に、生徒会員又は家族会員にて行い、教育機関会員から送信された情報を閲覧する受信処理について説明する。【００６１】  生徒会員又は家族会員はメニュー画面より受信処理を選択する。サーバ４は受信処理が選択されたことを受け取り、図９に示した受信画面を端末へ表示する。尚、送信元公開会員ＩＤ表示欄９１、会員名表示欄９２、送信内容表示欄９３には、生徒受信テーブルから会員認証処理で保持した公開会員ＩＤと生徒受信テーブルの公開会員ＩＤ（送信先）が一致するレコードを抽出して、抽出したレコードの公開会員ＩＤ（送信元）、会員名（送信元）、送信内容を設定する。【００６２】  第３の実施形態として地域で起こった事件（不審者に声をかけられた、あとをつけられた、痴漢にあった、誘拐等）を閲覧するまでを説明する。以下の説明は第１の実施形態で示した会員認証処理、在籍教育機関登録処理を既に実施しているものとして説明を行う。尚、事件テーブルには既に事件情報が登録されているものとする。【００６３】  地域で起こった事件を閲覧する事件閲覧処理について説明する。【００６４】  生徒会員は会員認証処理実施後、メニュー画面から事件閲覧処理を選択する。サーバ４は事件閲覧処理が選択されたことを受け取り、図１０に示した事件閲覧画面を端末へ表示する。【００６５】  尚、事件内容表示欄１０１には事件情報テーブルの事件内容を表示し、表示対象となる条件は生徒会員の住んでいる地域、又は、生徒会員が在籍している教育機関会員の所在地域で発生した事件である。【００６６】  生徒会員の住んでいる地域で発生した事件の抽出する過程を示す。まず、会員情報テーブルから会員認証を行った会員の公開会員ＩＤと会員情報テーブルの公開会員ＩＤが一致するレコードを抽出して、抽出したレコードの住所コードを取得する。次に、事件情報テーブルから先程取得した住所コードと事件情報テーブルの発生地域コードが一致するレコードを抽出する。この抽出したレコードの事件内容が生徒会員の住んでいる地域で発生した事件であり、事件内容表示欄１０１へ表示される。【００６７】  次に生徒会員が在籍している教育機関会員の所在地域で発生した事件の抽出する過程を示す。まず、在籍関係テーブルから会員認証を行った会員の公開会員ＩＤと在籍関係テーブルの公開会員ＩＤ（生徒）が一致するレコードを抽出する。次に、会員情報テーブルから先程抽出した在籍関係テーブルの公開会員ＩＤ（教育機関）と会員情報テーブルの公開会員ＩＤが一致するレコードを抽出して、抽出したレコードの住所コードを取得する。さらに、事件情報テーブルから先程取得した住所コードと事件情報テーブルの発生地域コードが一致するレコードを抽出する。この抽出したレコードの事件内容が生徒会員が在籍している教育機関会員の所在地域で発生した事件であり、事件内容表示欄１０１へ表示される。【００６８】  尚、教育機関会員でも、表示対象となる条件を教育機関会員の所在地域とすることにより、地域で起こった事件を閲覧することが可能である。
【発明の効果】
【００６９】  以上説明したように、本発明によれば、生徒、保護者、教育機関での入力作業、管理作業が軽減され、また、教育機関は連絡する相手を生徒のみ、保護者のみというような連絡が可能となり、より密接な連絡が可能となる。さらに、地域で発生した事件を知ることが可能となり、予防措置を講じることにより、未然に防ぐことが可能となる。
【図面の簡単な説明】
【００７０】
【図１】    本発明における実施形態を示すブロック図である。
【図２】    同実施形態における会員認証画面の図である。
【図３】    同実施形態における家族会員登録画面の図である。
【図４】    同実施形態における在籍教育機関登録画面の図である。
【図５】    同実施形態における生徒情報閲覧画面１の図である。
【図６】    同実施形態における生徒情報閲覧画面２の図である。
【図７】    同実施形態における保護者情報登録画面の図である。
【図８】    同実施形態における送信画面の図である。
【図９】    同実施形態における受信画面の図である。
【図１０】    同実施形態における事件閲覧画面の図である。
【符号の説明】
１〜２−端末、                      ３−−インターネット、
４−サーバ、                        ５〜６−端末
２１−会員ＩＤ入力欄、              ２２−パスワード入力欄、
２３−送信ボタン、
３１−会員ＩＤ入力欄、              ３２−パスワード入力欄、
３３−会員名入力欄、                ３４−公開会員ＩＤ表示欄、
３５−保護者情報チェック欄、        ３６−登録ボタン、
４１−教育機関選択欄、              ４２−追加ボタン、
５１−生徒選択欄、                  ５２−選択ボタン、
６１−公開会員ＩＤ表示欄、          ６２−氏名表示欄、
６３−住所表示欄、                  ６４−電話番号表示欄、
７１−公開会員ＩＤ表示欄、          ７２−会員名表示欄、
７３−保護者情報チェック欄、        ７４−登録ボタン、
８１−送信内容入力欄、              ８２−送信先生徒選択欄、
８３−送信先相手選択欄、            ８４−送信ボタン、
９１−送信元公開会員ＩＤ表示欄、    ９２−会員名表示欄、
９３−送信内容表示欄、
１０１−事件内容表示欄
【図１】
2006048622.tif 000009
【図２】
2006048622.tif 000010
【図３】
2006048622.tif 000011
【図４】
2006048622.tif 000012
【図５】
2006048622.tif 000013
【図６】
2006048622.tif 000014
【図７】
2006048622.tif 000015
【図８】
2006048622.tif 000016
【図９】
2006048622.tif 000017
【図１０】
2006048622.tif 000018